(57)【要約】  スマートフォン（１００）は、タッチパネル（１）及び制御部（２）を備える。制御部（２）は、受付部（２０１）と、第１判定部（２０３）と、表示制御部（２０５）とを備える。受付部（２０１）は、文字列の入力を受け付ける。第１判定部（２０３）は、文字列が特定の文字を含むか否かを判定する。表示制御部（２０５）は、第１判定部（２０３）の判定結果に基づき、特定の文字を含む旨を表示する。文字列は、配列された複数の文字を示す。特定の文字は、入力の間違いの発生頻度の高い文字を示す。
2019230181.tif 000002
【特許請求の範囲】
【請求項１】
記号列の入力を受け付ける受付部と、
前記記号列が特定の記号を含むか否かを判定する第１判定部と、
前記第１判定部の判定結果に基づき、前記特定の記号を含む旨を表示する表示制御部と
を備え、
前記記号列は、配列された複数の記号を示し、
前記特定の記号は、入力の間違いの発生頻度の高い記号を示す、入力制御装置。
【請求項２】
前記特定の記号は、数字の「０」、英字の大文字の「Ｏ」、数字の「１」、数字の「７」、英字の小文字の「ｌ」、英字の大文字の「Ｉ」、数字の「６」、英字の小文字の「ｂ」、数字の「８」、英字の大文字の「Ｂ」、数字の「９」、及び英字の小文字の「ｑ」の少なくとも１つを含む、請求項１に記載の入力制御装置。
【請求項３】
前記記号列が、重要な記号列を含むか否かを判定する第２判定部を更に備え、
前記第１判定部は、前記重要な記号列が前記特定の記号を含むか否かを判定する、請求項１に記載の入力制御装置。
【請求項４】
前記重要な記号列は、電子メールアドレス、ＨＰ（Ｈｏｍｅ  Ｐａｇｅ）アドレス、ＩＤ、ＰＩＮ（Ｐｅｒｓｏｎａｌ  Ｉｄｅｎｔｉｆｉｃａｔｉｏｎ  Ｎｕｍｂｅｒ）コード、パスワード、電話番号、及びファクシミリ番号の少なくとも１つを含む、請求項３に記載の入力制御装置。
【請求項５】
前記表示制御部は、前記特定の記号を強調表示する、請求項１に記載の入力制御装置。
【請求項６】
前記表示制御部は、前記特定の記号を太文字で表示する処理、前記特定の記号に下線を付与する処理、及び前記特定の記号を特定の色で表示する処理の少なくとも１つの処理を実行する、請求項５に記載の入力制御装置。
【請求項７】
前記特定の記号を含む旨を表示するか否かを選択する選択部を更に備え、
前記表示制御部は、前記選択部の選択結果に応じて、前記特定の記号を含む旨を表示する、請求項１に記載の入力制御装置。
【請求項８】
前記表示制御部は、前記特定の記号の前後の少なくとも一方の文字間隔を広げて前記特定の記号を表示する、請求項１に記載の入力制御装置。
【請求項９】
表示制御部は、前記特定の文字を含む旨を示すメッセージをポップアップ表示する、請求項１に記載の入力制御装置。
【請求項１０】
前記特定の記号を含む旨を表示するか否かを選択する選択部と、
前記記号列が、重要な記号列を含むか否かを判定する第２判定部と
を更に備え、
前記第１判定部は、前記記号列が前記重要な記号列を含むと前記第２判定部が判定した場合、前記重要な記号列が前記特定の記号を含むか否かを判定し、
前記表示制御部は、前記重要な記号列が前記特定の記号を含むと前記第１判定部が判定した場合、前記選択部の選択結果に応じて、前記特定の記号を含む旨を表示し、
前記表示制御部は、前記特定の記号を強調表示し、
前記表示制御部は、前記特定の記号の前後の少なくとも一方の文字間隔を広げて前記特定の記号を表示する、請求項１に記載の入力制御装置。
【請求項１１】
入力制御装置における入力制御方法であって、
記号列の入力を受け付ける受付ステップと、
前記記号列が特定の記号を含むか否かを判定する第１判定ステップと、
前記第１判定ステップの判定結果に基づき、前記特定の記号を含む旨を表示する表示制御ステップと
を含み、
前記記号列は、配列された複数の記号を示し、
前記特定の記号は、入力の間違いの発生頻度が高い記号を示す、入力制御方法。
【発明の詳細な説明】
【技術分野】
【０００１】
本発明は、入力制御装置、及び入力制御方法に関する。
【背景技術】
【０００２】
特許文献１に記載の入力受付装置は、復号化プログラムを記憶する。復号化プログラムは、パスワードを構成する記号と、その記号と誤って入力される可能性がある記号とを対応付けて記憶する。復号化プログラムは、パスワードを受け付けて復号化する際に、誤って入力された記号を修正し、正しいパスワード情報に復号化する。
【先行技術文献】
【特許文献】
【０００３】
【特許文献１】特開２００３−１５０５５２号公報
【発明の概要】
【発明が解決しようとする課題】
【０００４】
しかしながら、特許文献１に記載の入力受付装置では、ユーザーに通知せずにパスワードを修正するため、ユーザーが入力の間違いに気づかない可能性がある。その結果、ユーザーが同じ間違いを繰り返す可能性がある。【０００５】
本発明は、上記課題に鑑みてなされたものであり、ユーザーが入力の間違いを容易に認識可能な入力制御装置、及び入力制御方法を提供することを目的としている。
【課題を解決するための手段】
【０００６】
本発明に係る入力制御装置は、受付部と、第１判定部と、表示制御部とを備える。前記受付部は、記号列の入力を受け付ける。前記第１判定部は、前記記号列が特定の記号を含むか否かを判定する。前記表示制御部は、前記第１判定部の判定結果に基づき、前記特定の記号を含む旨を表示する。前記記号列は、配列された複数の記号を示す。前記特定の記号は、入力の間違いの発生頻度の高い記号を示す。【０００７】
本発明に係る入力制御方法は、入力制御装置における文字入力制御方法であって、受付ステップと、第１判定ステップと、表示制御ステップとを含む。受付ステップでは、記号列の入力を受け付ける。前記第１判定ステップでは、前記記号列が特定の記号を含むか否かを判定する。前記表示制御ステップでは、前記第１判定ステップの判定結果に基づき、前記特定の記号を含む旨を表示する。前記記号列は、配列された複数の記号を示す。前記特定の記号は、入力の間違いの発生頻度の高い記号を示す。
【発明の効果】
【０００８】
本発明の入力制御装置、及び入力制御方法によれば、ユーザーが入力の間違いを容易に認識できる。
【図面の簡単な説明】
【０００９】
【図１】本発明の実施形態に係るタブレット端末装置の構成の一例を示す図である。
【図２】タッチパネルに表示される第１画面の一例を示す画面図である。
【図３】本発明の実施形態に係る制御部の構成の一例を示す図である。
【図４】タッチパネルに表示される第２画面の一例を示す画面図である。
【図５】制御部の処理の一例を示すフローチャートである。
【発明を実施するための形態】
【００１０】
以下、本発明の実施形態について、図面（図１〜図５）を参照しながら説明する。なお、図中、同一又は相当部分については同一の参照符号を付して説明を繰り返さない。
【００１１】
まず、図１を参照して本発明の実施形態に係るスマートフォン１００の構成について説明する。図１は、スマートフォン１００の構成を示す。図１に示すように、スマートフォン１００は、タッチパネル１と制御部２とを備える。タッチパネル１は画像を表示すると共に、ユーザーからの操作を受け付ける。制御部２はタッチパネル１の動作を制御する。スマートフォン１００は、「入力制御装置」の一例に相当する。
【００１２】
タッチパネル１は、ディスプレー１１及びタッチセンサー１２を備える。ディスプレー１１は、例えば、ＬＣＤ（Ｌｉｑｕｉｄ  Ｃｒｙｓｔａｌ  Ｄｉｓｐｌａｙ）を備え、種々の画像を表示する。タッチセンサー１２は、ユーザーからの操作を受け付ける。タッチセンサー１２は、例えばディスプレー１１の表示面上に配置される。タッチパネル１は、矩形状に形成される。
【００１３】
制御部２は、プロセッサー２１及び記憶部２２を備える。プロセッサー２１は、例えばＣＰＵ（Ｃｅｎｔｒａｌ  Ｐｒｏｃｅｓｓｉｎｇ  Ｕｎｉｔ）を備える。記憶部２２は、半導体メモリーのようなメモリーを備え、ＨＤＤ（Ｈａｒｄ  Ｄｉｓｋ  Ｄｒｉｖｅ）を備えてもよい。記憶部２２は、制御プログラムを記憶している。
【００１４】
次に、図１及び図２を参照して、タッチパネル１に表示される第１画面３００について説明する。図２は、タッチパネル１に表示される第１画面３００の一例を示す画面図である。図２に示すように、第１画面３００には、宛先表示部３０１と、本文表示部３０２と、チェック入力部３０５と、文字入力部３０６と、カーソルＣＳとが表示されている。第１画面３００は、制御部２によってタッチパネル１に表示される。
【００１５】
宛先表示部３０１、本文表示部３０２には、記号列が表示される。「記号列」は、配列された複数の記号を示す。「記号」は、文字、マーク、及びシンボルを含む。「文字」は、日本語の平仮名、日本語の片仮名、日本語又は中国語の漢字、アルファベット及び数字を含む。本発明の実施形態では、「記号列」が文字列である場合について説明する。具体的には、本発明の実施形態では、「記号列」が英数字の文字列ＣＰである場合について説明する。
【００１６】
宛先表示部３０１は、電子メールの宛先を表示する。すなわち、宛先表示部３０１は、電子メールの宛先を示す電子メールアドレスを表示する。宛先表示部３０１には、電子メールアドレスとして、例えば「ＢＢＯ００１＠ｅｍａｉｌ．ｃｏｍ」が表示されている。
【００１７】
本文表示部３０２は、電子メールの本文を表示する。本文表示部３０２には、電子メールの本文として、例えば「ＸＸ様  ＩＤが変更になりましたのでご確認下さい。」が表示されている。本文表示部３０２は、第１表示部３０３と、第２表示部３０４とを含む。
【００１８】
第１表示部３０３は、装置ＡのＩＤを表示する。装置Ａは、例えばプリンターである。第１表示部３０３には、例えば、「［Ｍａｃｈｉｎｅ  Ａ  ＩＤ］６６ＱＡＢ１２ＬＬｌ５」が表示されている。
【００１９】
第２表示部３０４は、装置ＢのＩＤを表示する。装置Ｂは、装置Ａと相違する。装置Ｂは、例えばプリンターである。第２表示部３０４には、例えば、「［Ｍａｃｈｉｎｅ  Ｂ  ＩＤ］Ｆ３３ＨＸＸＹＡ５４７」が表示されている。
【００２０】
チェック入力部３０５は、特定の文字ＣＡを強調表示するか否かをユーザーが選択する場合に使用する。具体的には、チェック入力部３０５をユーザーがタッチすることによって、チェック入力部３０５にチェックマークが表示される。この場合には、制御部２は、特定の文字ＣＡを強調表示する。チェック入力部３０５にチェックマークが表示されていない場合には、制御部２は、特定の文字ＣＡを強調表示しない。「特定の文字ＣＡを強調表示する」ことに関しては、後述にて図３を参照して詳細に説明する。
【００２１】
文字入力部３０６は、宛先表示部３０１及び本文表示部３０２の各々に文字列ＣＰを入力する場合に、ユーザーによってタッチされる。
【００２２】
カーソルＣＳは、ユーザーが文字Ｃを入力可能な位置を示す。カーソルＣＳの位置は、文字入力部３０６に対してユーザーがタッチすることによって変更できる。また、カーソルＣＳの位置は、宛先表示部３０１及び本文表示部３０２の各々にユーザーがタッチすることによって変更できる。
【００２３】
次に、図１〜図３を参照して、本発明の実施形態に係る制御部２の構成について説明する。図３は、制御部２の構成の一例を示す図である。図３に示すように、制御部２は、受付部２０１と、第２判定部２０２と、第１判定部２０３と、選択部２０４と、表示制御部２０５とを備える。具体的には、制御部２のプロセッサー２１が、制御プログラムを実行することによって、受付部２０１、第２判定部２０２、第１判定部２０３、選択部２０４及び表示制御部２０５として機能する。制御プログラムは、例えば、入力制御プログラムである。
【００２４】
受付部２０１は、文字列ＣＰの入力を受け付ける。具体的には、受付部２０１は、タッチパネル１からの文字列ＣＰの入力を受け付ける。
【００２５】
第２判定部２０２は、受付部２０１が受け付けた文字列ＣＰが、重要な文字列ＣＰＡを含むか否かを判定する。重要な文字列ＣＰＡとは、ユーザーにとって重要な文字列ＣＰを示す。本発明の実施形態では、重要な文字列ＣＰＡとは、電子メールを受信するユーザーにとって重要な文字列ＣＰを示す。具体的には、重要な文字列ＣＰＡは、電子メールアドレス、ＨＰ（Ｈｏｍｅ  Ｐａｇｅ）アドレス、ＩＤ、ＰＩＮ（Ｐｅｒｓｏｎａｌ  Ｉｄｅｎｔｉｆｉｃａｔｉｏｎ  Ｎｕｍｂｅｒ）コード、パスワード、電話番号、及びファクシミリ番号を含む。
【００２６】
第１判定部２０３は、文字列ＣＰが特定の文字ＣＡを含むか否かを判定する。具体的には、第１判定部２０３は、重要な文字列ＣＰＡが特定の文字ＣＡを含むか否かを判定する。特定の文字ＣＡは、入力の間違いの発生頻度の高い文字Ｃを示す。文字Ｃは、本発明の実施形態では、英数字である。具体的には、特定の文字ＣＡは、数字の「０」、英字の大文字の「Ｏ」、数字の「１」、数字の「７」、英字の小文字の「ｌ」、英字の大文字の「Ｉ」、数字の「６」、英字の小文字の「ｂ」、数字の「８」、英字の大文字の「Ｂ」、数字の「９」、及び英字の小文字の「ｑ」を含む。
【００２７】
選択部２０４は、特定の文字ＣＡを含む旨を表示するか否かを選択する。具体的には、図２に示すチェック入力部３０５にチェックマークが表示されている場合には、特定の文字ＣＡを含む旨を表示する。チェック入力部３０５にチェックマークが表示されていない場合には、特定の文字ＣＡを含む旨を表示しない。
【００２８】
表示制御部２０５は、第１判定部２０３の判定結果に基づき、特定の文字ＣＡを含む旨を表示する。具体的には、表示制御部２０５は、特定の文字ＣＡを強調表示する。更に具体的には、表示制御部２０５は、特定の文字ＣＡを太文字で表示する処理、特定の文字ＣＡに下線を付与する処理、及び特定の文字ＣＡを特定の色で表示する処理の少なくとも１つの処理を実行する。本発明の実施形態では、表示制御部２０５は、特定の文字ＣＡを太文字で表示する処理を実行する。
【００２９】
以上、図１〜図３を参照して説明したように、本発明の実施形態では、表示制御部２０５が、文字列ＣＰが特定の文字ＣＡを含む旨を表示する。特定の文字ＣＡは、入力の間違いの発生頻度が高い文字Ｃを示す。したがって、ユーザーは、入力された文字Ｃが現実に入力の間違いであるか否かを容易に視認できる。その結果、入力の間違いをユーザーが容易に認識できる。
【００３０】
また、第２判定部２０２が、文字列ＣＰが重要な文字列ＣＰＡを含むか否かを判定する。第１判定部２０３は、重要な文字列ＣＰＡが特定の文字ＣＡを含むか否かを判定する。表示制御部２０５は、重要な文字列ＣＰＡであり、且つ入力の間違いの発生頻度が高い文字Ｃ（特定の文字ＣＡ）を含む旨を表示する。したがって、重要な文字列ＣＰＡにおいて、入力の間違いをユーザーが容易に認識できる。
【００３１】
また、表示制御部２０５は、特定の文字ＣＡを強調表示する。したがって、入力の間違いをユーザーが更に容易に認識できる。
【００３２】
なお、本発明の実施形態では、表示制御部２０５が、重要な文字列ＣＰＡの特定の文字ＣＡを含む旨を表示するが、本発明はこれに限定されない。表示制御部２０５が、特定の文字ＣＡを含む旨を表示すればよい。すなわち、第１判定部２０３が、重要な文字列ＣＰＡに限らず、全ての文字列ＣＰにおいて、特定の文字ＣＡを含むか否かを判定し、表示制御部２０５は、第１判定部２０３の判定結果に基づき、特定の文字ＣＡを含む旨を表示してもよい。この場合には、全ての文字列ＣＰにおいて、入力の間違いをユーザーが認識できる。
【００３３】
また、本発明の実施形態では、表示制御部２０５は、特定の文字ＣＡを強調表示するが、本発明はこれに限定されない。表示制御部２０５は、特定の文字ＣＡを含む旨を表示すればよい。例えば、表示制御部２０５は、特定の文字ＣＡを含む旨をポップアップ表示してもよい。具体的には、表示制御部２０５は、「入力された数字の「０」は、英字の大文字の「Ｏ」と互いに入力の間違いの発生頻度が高い文字です。」とのメッセージをタッチパネル１にポップアップ表示してもよい。したがって、ポップアップ表示の内容に応じて、より具体的にユーザーに注意喚起できる。
【００３４】
また、本発明の実施形態では、表示制御部２０５は、特定の文字ＣＡを太文字で表示する処理を実行するが、本発明はこれに限定されない。表示制御部２０５が、特定の文字ＣＡを強調表示すればよい。すなわち、表示制御部２０５が、例えば、特定の文字ＣＡを太文字で表示する処理、特定の文字ＣＡに下線を付与する処理、及び特定の文字ＣＡを特定の色で表示する処理の少なくとも１つの処理を実行すればよい。例えば、表示制御部２０５が、特定の文字ＣＡを赤色で表示する処理を実行してもよい。
【００３５】
次に、図１〜図４を参照して、制御部２の処理について説明する。図４は、タッチパネル１に表示される第２画面４００の一例を示す画面図である。第２画面４００は、図２に示す第１画面３００の宛先表示部３０１、第１表示部３０３、及び第２表示部３０４の各々に対して、表示制御部２０５が特定の文字ＣＡを太文字で表示する処理を実行した結果、タッチパネル１に表示される画面である。図４に示すように、第２画面４００には、宛先表示部４０１と、本文表示部４０２と、チェック入力部４０５と、文字入力部４０６と、カーソルＣＳとが表示されている。
【００３６】
宛先表示部４０１は、電子メールの宛先を表示する。具体的には、電子メールアドレスとして、例えば「ＢＢＯ００＠ｅｍａｉｌ．ｃｏｍ」が表示されている。電子メールアドレスは、第２判定部２０２によって重要な文字列ＣＰＡであると判定される。また、電子メールアドレスに含まれる英字の大文字の「Ｂ」と、英字の大文字の「Ｏ」と、数字の「０」と、数字の「１」とは、第１判定部２０３によって、特定の文字ＣＡであると判定される。電子メールアドレスに含まれる特定の文字ＣＡは、表示制御部２０５によって太文字で表示される。更に、電子メールアドレスに含まれる特定の文字ＣＡは、表示制御部２０５によって、特定の文字Ｃの前後の文字間隔を広げて表示される。
【００３７】
本文表示部４０２は、電子メールの本文を表示する。本文表示部４０２は、第１表示部４０３と、第２表示部４０４とを含む。
【００３８】
第１表示部４０３は、装置ＡのＩＤを表示する。第１表示部４０３には、例えば、「［Ｍａｃｈｉｎｅ  Ａ  ＩＤ］６６ＱＡＢ１２ＬＬｌ５」が表示されている。装置ＡのＩＤは、第２判定部２０２によって重要な文字列ＣＰＡであると判定される。また、装置ＡのＩＤに含まれる数字の「６」と、英字の大文字の「Ｂ」と、数字の「１」と、英字の小文字の「ｌ」とは、第１判定部２０３によって、特定の文字ＣＡであると判定される。装置ＡのＩＤに含まれる特定の文字ＣＡは、表示制御部２０５によって太文字で表示される。更に、装置ＡのＩＤに含まれる特定の文字ＣＡは、表示制御部２０５によって、特定の文字Ｃの前後の文字間隔を広げて表示される。
【００３９】
第２表示部４０４は、装置ＢのＩＤを表示する。第２表示部４０４には、例えば、「［Ｍａｃｈｉｎｅ  Ｂ  ＩＤ］Ｆ３３ＨＸＸＹＡ５４７」が表示されている。装置ＢのＩＤは、第２判定部２０２によって重要な文字列ＣＰＡであると判定される。また、第１判定部２０３によって、装置ＡのＩＤには特定の文字ＣＡが含まれていないと判定される。
【００４０】
以上、図１〜図４を参照して説明したように、本発明の実施形態では、重要な文字列ＣＰＡは、電子メールアドレス、ＨＰアドレス、ＩＤ、ＰＩＮコード、パスワード、電話番号、及びファクシミリ番号を含む。したがって、第２判定部２０２が重要な文字列ＣＰＡであるか否かを的確に判定できる。
【００４１】
また、表示制御部２０５は、特定の文字ＣＡを太文字で表示する処理を実行する。したがって、特定の文字ＣＡの入力の間違いをユーザーが容易に認識できる。
【００４２】
また、数字の「０」と英字の大文字の「Ｏ」とは、互いに入力の間違いの発生頻度が高い。数字の「１」と、数字の「７」と、英字の小文字の「ｌ」と、英字の大文字の「Ｉ」とは、互いに入力の間違いの発生頻度が高い。数字の「６」と英字の小文字の「ｂ」とは、互いに入力の間違いの発生頻度が高い。数字の「９」と英字の小文字の「ｑ」とは、互いに入力の間違いの発生頻度が高い。したがって、特定の英数字が、数字の「０」、英字の大文字の「Ｏ」、数字の「１」、数字の「７」、英字の小文字の「ｌ」、英字の大文字の「Ｉ」、数字の「６」、英字の小文字の「ｂ」、数字の「８」、英字の大文字の「Ｂ」、数字の「９」、及び英字の小文字の「ｑ」を含むため、第１判定部２０３が、入力の間違いの発生頻度が高い文字Ｃ（特定の文字ＣＡ）を含むか否かを的確に判定できる。
【００４３】
また、表示制御部２０５は、特定の文字ＣＡの前後の文字間隔を広げて、特定の文字ＣＡを表示する。よって、特定の文字ＣＡをユーザーが見易く表示できる。したがって、特定の文字ＣＡが誤入力であるか否かをユーザーが容易に確認できる。また、特定の文字ＣＡが誤入力であった場合に、正しく修正できたか否かをユーザーが容易に確認できる。
【００４４】
なお、本発明の実施形態では、重要な文字列ＣＰＡは、電子メールアドレス、ＨＰアドレス、ＩＤ、ＰＩＮコード、パスワード、電話番号、及びファクシミリ番号を含むが、本発明はこれに限定されない。重要な文字列ＣＰＡは、電子メールアドレス、ＨＰアドレス、ＩＤ、ＰＩＮコード、パスワード、電話番号、及びファクシミリ番号の少なくとも１つを含めばよい。例えば、電子メールアドレス、ＨＰアドレス、ＩＤ、ＰＩＮコード、パスワード、電話番号、及びファクシミリ番号の中から、ユーザーが誤入力のチェックを所望する文字列ＣＰを重要な文字列ＣＰＡとしてユーザーが決定してもよい。
【００４５】
また、本発明の実施形態では、表示制御部２０５は、特定の文字ＣＡを太文字で表示する処理を実行するが、本発明はこれに限定されない。表示制御部２０５が、特定の文字Ｃを太文字で表示する処理、特定の文字ＣＡに下線を付与する処理、及び特定の文字ＣＡを特定の色で表示する処理の少なくとも１つの処理を実行すればよい。例えば、特定の文字ＣＡを特定の色（例えば、赤色）で表示すればよい。この場合には、文字列ＣＰが多数の（例えば、４００個の）文字Ｃを含む場合であっても、特定の文字ＣＡを容易に認識できる。したがって、ユーザーの利便性を更に向上できる。
【００４６】
また、本発明の実施形態では、特定の文字ＣＡは、数字の「０」、英字の大文字の「Ｏ」、数字の「１」、数字の「７」、英字の小文字の「ｌ」、英字の大文字の「Ｉ」、数字の「６」、英字の小文字の「ｂ」、数字の「８」、英字の大文字の「Ｂ」、数字の「９」、及び英字の小文字の「ｑ」を含むが、本発明はこれに限定されない。特定の文字ＣＡは、数字の「０」、英字の大文字の「Ｏ」、数字の「１」、数字の「７」、英字の小文字の「ｌ」、英字の大文字の「Ｉ」、数字の「６」、英字の小文字の「ｂ」、数字の「８」、英字の大文字の「Ｂ」、数字の「９」、及び英字の小文字の「ｑ」の少なくとも１つを含めばよい。
【００４７】
また、本発明の実施形態では、表示制御部２０５は、特定の文字ＣＡの前後の文字間隔を広げて、特定の文字ＣＡを表示するが、本発明はこれに限定されない。表示制御部２０５は、特定の文字ＣＡの前後の少なくとも一方の文字間隔を広げて、特定の文字ＣＡを表示すればよい。また、特定の文字ＣＡの前後の文字間隔をどの程度広げるかを、ユーザーが決定してもよい。この場合には、ユーザーが見易い文字間隔に決定できる。したがって、ユーザーの利便性を向上できる。
【００４８】
次に、図１〜図５を参照して、本発明の実施形態に係る制御部２の処理について更に説明する。図５は、制御部２の処理の一例を示すフローチャートである。
【００４９】
図５に示すように、ステップＳ１０１において、選択部２０４は、特定の文字ＣＡを強調表示するか否かを判定する。具体的には、図２のチェック入力部３０５にチェックマークが表示されている場合には、選択部２０４は、特定の文字ＣＡを強調表示すると判定する。チェック入力部３０５にチェックマークが表示されていない場合には、選択部２０４は、特定の文字ＣＡを強調表示しないと判定する。特定の文字ＣＡを強調表示しないと選択部２０４が判定した場合（ステップＳ１０１でＮＯ）には、処理が終了する。特定の文字ＣＡを強調表示すると選択部２０４が判定した場合（ステップＳ１０１でＹＥＳ）には、処理がステップＳ１０３に進む。
【００５０】
そして、ステップＳ１０３において、受付部２０１がタッチパネル１からの文字列ＣＰの入力を受け付ける（「受付ステップ」の一例に相当する。）と、第２判定部２０２は、文字列ＣＰが、重要な文字列ＣＰＡを含むか否かを判定する。重要な文字列ＣＰＡを含まないと第２判定部２０２が判定した場合（ステップＳ１０３でＮＯ）には、処理が終了する。重要な文字列ＣＰＡを含むと第２判定部２０２が判定した場合（ステップＳ１０３でＹＥＳ）には、処理がステップＳ１０５に進む。
【００５１】
そして、ステップＳ１０５において、第１判定部２０３は、重要な文字列ＣＰＡが特定の文字ＣＡを含むか否かを判定する。重要な文字列ＣＰＡが特定の文字ＣＡを含まないと第１判定部２０３が判定した場合（ステップＳ１０５でＮＯ）には、処理が終了する。重要な文字列ＣＰＡが特定の文字ＣＡを含むと第１判定部２０３が判定した場合（ステップＳ１０５でＹＥＳ）には、処理がステップＳ１０７に進む。
【００５２】
そして、ステップＳ１０７において、表示制御部２０５は、特定の文字ＣＡを強調表示する。具体的には、表示制御部２０５は、特定の文字ＣＡを太文字で表示する。
【００５３】
次に、ステップＳ１０９において、表示制御部２０５は、特定の文字ＣＡの前後の文字間隔を広げて、特定の文字ＣＡを表示する。その後、処理が終了する。
【００５４】
ステップＳ１０５は、「第１判定ステップ」の一例に相当する。ステップＳ１０７は、「表示制御ステップ」の一例に相当する。
【００５５】
以上、図１〜図５を参照して説明したように、本発明の実施形態では、選択部２０４は、特定の文字ＣＡを含む旨を表示するか否かを選択する。そして、表示制御部２０５は、選択部２０４の選択結果に応じて、特定の文字ＣＡを含む旨を表示する。したがって、ユーザーの利便性を更に向上できる。
【００５６】
なお、本発明の実施形態では、選択部２０４は、チェック入力部３０５にチェックマークが表示されているか否かに応じて、特定の文字ＣＡを含む旨を表示するか否かを選択するが、本発明はこれに限定されない。選択部２０４は、特定の文字ＣＡを含む旨を表示するか否かを選択すればよい。例えば、ユーザーから電子メールを送信する旨の指示を受け付けた場合に、選択部２０４が、特定の文字ＣＡを含む旨を表示するか否かの選択をユーザーから受け付けてもよい。
【００５７】
また、本発明の実施形態では、記号列が英数字の文字列ＣＰである場合について説明したが、本発明はこれに限定されない。記号列は、配列された複数の記号を示せばよい。例えば、記号列が日本語又は中国語の漢字、日本語の平仮名及び日本語の片仮名から構成される文字列でもよい。この場合には、特定の文字ＣＡは、例えば、日本語又は中国語の漢字の「口」と、日本語の片仮名の「ロ」と、日本語の片仮名の「ユ」と、日本語の片仮名の「コ」とを含む。日本語又は中国語の漢字の「口」と日本語の片仮名の「ロ」とは、互いに入力の間違いの発生頻度が高い。また、日本語の片仮名の「ユ」と日本語の片仮名の「コ」とは、互いに入力の間違いの発生頻度が高い。
【００５８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）及び（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５９】
（１）図１を参照して説明したように、本発明の実施形態では、「文字入力装置」はスマートフォン１００であるが、本発明はこれに限定されない。「文字入力装置」は、ディスプレー１１と制御部２とを備えればよい。例えば、「文字入力装置」が、パーソナルコンピューターでもよい。また、例えば、「文字入力装置」が、複合機でもよい。
【００６０】
（２）図１〜図３を参照して説明したように、本発明の実施形態では、第１判定部２０３が、文字列ＣＰが特定の文字ＣＡを含むか否かを判定するが、本発明はこれに限定されない。複数の特定の文字ＣＡを記憶部２２に記憶しておき、第１判定部２０３が、記憶部２２に記憶された複数の特定の文字ＣＡのいずれかと一致するか否かを判定してもよい。
【産業上の利用可能性】
【００６１】
本発明は、入力制御装置、及び入力制御方法に利用可能である。
【図１】
2019230181.tif 000003
【図２】
2019230181.tif 000004
【図３】
2019230181.tif 000005
【図４】
2019230181.tif 000006
【図５】
2019230181.tif 000007
【国際調査報告】
2019230181.tif 000008
2019230181.tif 000009